(57)【要約】【課題】  油圧ポンプを回転駆動する電動機および作動油を制御する油圧制御機器と外部制御装置との間を電気接続する配線作業を簡単に行うもの。【解決手段】  油圧ポンプ５を回転駆動する電動機４および電磁切換弁１３を外部制御装置と電気接続する制御盤１９を備え、制御盤１９は外部制御装置から電動機４に電流を流す動力配線２１を着脱自在に取付ける動力配線コネクタ２１Ａと、外部制御装置から電磁切換弁１３に電流を流す制御配線２２を着脱自在に取付ける制御配線コネクタ２２Ａと、外部制御装置から電磁切換弁１３を通電したり非通電したりする信号を流す信号配線２３を着脱自在に取付ける信号配線コネクタ２３Ａとを有する。【選択図】    図１
2006349130.tif 000002
【特許請求の範囲】
【請求項１】
内部に作動油を貯蔵する油タンクと、回転駆動により油タンクの貯蔵作動油を吸入吐出する油圧ポンプと、油圧ポンプを通電により回転駆動し非通電により停止する電動機と、油圧ポンプより吐出して油圧アクチュエータに供給する作動油若しくは油圧アクチュエータから油タンクに戻る作動油の少なくとも一方を通電非通電により制御する油圧制御機器と、電動機および油圧制御機器を外部制御装置と電気接続する制御盤とを備え、制御盤は外部制御装置から電動機に電流を流す動力配線を着脱自在に取付ける動力配線コネクタと、外部制御装置から油圧制御機器に電流を流す制御配線を着脱自在に取付ける制御配線コネクタと、外部制御装置から油圧制御機器を通電したり非通電したりする信号を流す信号配線を着脱自在に取付ける信号配線コネクタとを有することを特徴とする油圧装置。
【請求項２】
略四方形に形成した前記油タンクの上板上に、前記油圧制御機器を設置して内部に作動油を流通する流路を形成したマニホールドおよび前記電動機を縦方向に載置し、前記油圧ポンプを油タンクの内部に配置し、前記制御盤を前記電動機の側方に配置したことを特徴とする請求項１に記載の油圧装置。
【発明の詳細な説明】
【技術分野】
【０００１】
本発明は、油タンクの貯蔵作動油を、電動機により回転駆動される油圧ポンプで吸入吐出する油圧装置に関する。
【背景技術】
【０００２】
この種の油圧装置は、内部に作動油を貯蔵する油タンクの上板上に、電動機と、電動機により回転駆動され油タンクの貯蔵作動油を吸入吐出する油圧ポンプと、油圧ポンプより吐出して油圧アクチュエータに供給する作動油や油圧アクチュエータより油タンクに戻る作動油を制御する複数の油圧制御機器（通電により作動して作動油の流れ方向を制御する電磁切換弁、作動油の流量を制御する流量制御弁、作動油の圧力が設定値に達すると通電して信号を発する圧力スイッチ等）を設置するマニホールドとを載置し、装置を小型にまとめている。
【特許文献１】実公昭６１−２８４８１号公報（第２頁左欄第７行―第４３行、図１、図２）
【発明の開示】
【発明が解決しようとする課題】
【０００３】
ところが、かかる従来の油圧装置では、油圧装置から離間した外部制御装置で、電動機の回転停止を操作したり、電磁切換弁、圧力スイッチ等の油圧制御機器の通電非通電を操作したりするため、油圧装置に備えた電動機や油圧制御機器と外部制御装置との間をユーザである使用者が配線により電気接続しなければならず、特に、油圧制御機器が多数であると、外部制御装置に電気接続しなければならない配線も多数となり、ユーザである使用者が行う配線作業が面倒である問題があった。
【０００４】
本発明の課題は、油圧ポンプを回転駆動する電動機および作動油を制御する油圧制御機器と外部制御装置との間を電気接続する配線作業を簡単に行い得る油圧装置を提供することを課題としている。
【課題を解決するための手段】
【０００５】
かかる課題を達成すべく、本発明は課題を解決するため次の手段をとった。即ち、
内部に作動油を貯蔵する油タンクと、回転駆動により油タンクの貯蔵作動油を吸入吐出する油圧ポンプと、油圧ポンプを通電により回転駆動し非通電により停止する電動機と、油圧ポンプより吐出して油圧アクチュエータに供給する作動油若しくは油圧アクチュエータから油タンクに戻る作動油の少なくとも一方を通電非通電により制御する油圧制御機器と、電動機および油圧制御機器を外部制御装置と電気接続する制御盤とを備え、制御盤は外部制御装置から電動機に電流を流す動力配線を着脱自在に取付ける動力配線コネクタと、外部制御装置から油圧制御機器に電流を流す制御配線を着脱自在に取付ける制御配線コネクタと、外部制御装置から油圧制御機器を通電したり非通電したりする信号を流す信号配線を着脱自在に取付ける信号配線コネクタとを有することを特徴とする油圧装置がそれである。
【０００６】
この場合、略四方形に形成した前記油タンクの上板上に、前記油圧制御機器を設置して内部に作動油を流通する流路を形成したマニホールドおよび前記電動機を縦方向に載置し、前記油圧ポンプを油タンクの内部に配置し、前記制御盤を前記電動機の側方に配置しても良い。
【発明の効果】
【０００７】
以上詳述したように、請求項１に記載の発明は、電動機および油圧制御機器を外部制御装置と電気接続する制御盤を備え、制御盤は外部制御装置から電動機に電流を流す動力配線を着脱自在に取付ける動力配線コネクタと、外部制御装置から油圧制御機器に電流を流す制御配線を着脱自在に取付ける制御配線コネクタと、外部制御装置から油圧制御機器を通電したり非通電したりする信号を流す信号配線を着脱自在に取付ける信号配線コネクタとを有しているため、油圧制御機器の個数にかかわりなく制御盤と外部制御装置との間を電気接続する動力配線と制御配線と信号配線の本数は一定でよく、制御盤の動力配線コネクタと制御配線コネクタと信号配線コネクタに動力配線と制御配線と信号配線を装着することで外部制御装置と電気接続でき、配線作業を簡単に行うことができる。
【０００８】
また、請求項２に記載の発明は、請求項１に記載の発明の効果に加え、油タンクの上板上に縦方向に載置する電動機と油圧制御機器を設置するマニホールドおよび電動機の側方に配置する制御盤を集約することができ、大型化を抑制して装置をコンパクトにすることができる。
【発明を実施するための最良の形態】
【０００９】
以下、本発明の一実施形態を図面に基づき説明する。
図１乃至図４において、１は油タンクで、上部を開口した略四方形としての略直方体形状の箱状に形成して内部に作動油を貯蔵するタンク本体２と、タンク本体２の上部開口を閉塞する上板３とで構成している。４は油圧ポンプ５を通電により回転駆動し非通電により停止する電動機で、油タンク１の上板３上に縦方向に載置し、複数の電気配線を外皮チューブ４Ａ内にまとめて有している。
【００１０】
電動機４で回転駆動される油圧ポンプ５は、電動機４と同軸に上板３の裏面に取付けて油タンク１のタンク本体２内部に配置し、貯蔵作動油を吸入管６より吸入して吐出管７に吐出する。８は油タンク１の上板３上に載置したマニホールドで、吐出管７を内部に形成の流路と接続し、一側面には５個の取付部を形成し、この取付部には作動油を流量制御する絞り弁９、作動油の一方向流れのみを許容する逆止め弁１０、作動油の一方向流れを許容すると共にパイロット圧力の作用により作動油の他方向流れを許容するパイロット操作逆止め弁１１、作動油を減圧制御する減圧弁１２を水平方向に積層していずれの取付部の最終段にも電磁切換弁１３を積層して設置している。マニホールド８は各弁９〜１３を積層した一側面と直交する他の側面に６個の圧力スイッチ１４を取付けると共に、一側面と直交して圧力スイッチ１４を取付けた他の側面と対向するさらに他の側面には図示しない油圧アクチュエータへの配管を接続するポート１５を開口している。各弁９〜１３、圧力スイッチ１４が油圧制御機器を成し、電磁切換弁１３は電気配線１３Ａを有して通電により作動して油圧ポンプ５より吐出管７に吐出して図示しない油圧アクチュエータへ供給する作動油の流れ方向を制御し、圧力スイッチ１４は電気配線１４Ａを有して油圧アクチュエータに供給する作動油の圧力が設定値に達すると通電して信号を発する。そして、各電磁切換弁１３の電気配線１３Ａを外皮チューブ１３Ｂ内にまとめると共に、各圧力スイッチ１４の電気配線１４Ａを外皮チューブ１４Ｂ内にまとめ、さらに、外皮チューブ１４Ｂを外皮チューブ１３Ｂの中間部に接続して外皮チューブ１３Ｂ内に電磁弁１３の電気配線１３Ａと圧力スイッチ１４の電気配線１４Ａをまとめる。１６は油圧アクチュエータから油タンク１に作動油を還流する戻り管で、マニホールド８に連通して上板３より油タンク１内に配置している。
【００１１】
１８は電動機４の上方に配置したラジエータで、油圧ポンプ５のドレン油を電動機４の図示しないファンにより冷却して油タンク１の内部に還流する。１９は略直方体形状で一側を開口した本体１９Ａと、本体１９Ａの開口を開閉自在に閉塞する蓋部材１９Ｂとで構成した制御盤で、取付部材２０により油タンク１の上板３に取り付けて電動機４の側方に配置している。制御盤１９は、図示しない外部制御装置から電動機４に電流を流す動力配線２１を着脱自在に取付ける動力配線コネクタ２１Ａと、外部制御装置から電磁切換弁１３、圧力スイッチ１４に電流を流す制御配線２２を着脱自在に取付ける制御配線コネクタ２２Ａと、外部制御装置から出力する電磁切換弁１３を通電非通電する信号を流したり、圧力スイッチ１４から出力する信号を外部制御装置に流したり、外部制御装置から出力する電動機４を回転停止する信号を流したりする信号配線２３を着脱自在に取付ける信号配線コネクタ２３Ａとを本体１９Ａの一側面に外部に露出して有している。また、制御盤１９は、本体１９Ａの底面にチューブ４Ａ、１３Ｂを接続している。
【００１２】
図５に示す如き、制御盤１９の内部には、動力配線コネクタ２１Ａの３本の電気配線２１Ｂと電動機４の外皮チューブ４Ａ内にまとめた３本の電気配線４Ｂとを電気接続する電磁開閉器２４と、過電流が流れると電気配線２１Ｂと電気配線４Ｂとの間を遮断して電動機４を保護する遮断器２５と、制御配線コネクタ２２Ａの電気配線２２Ｂと圧力スイッチ１４の電気配線１４Ａとを電気接続する端子台部材２６と、制御配線コネクタ２２Ａの他の電気配線２２Ｃと電磁切換弁１３の電気配線１３Ａとを電気接続するコネクタ部材２７と、信号配線コネクタ２３Ａの信号線２８と電気接続する入力・出力ユニット２９を備えている。
【００１３】
３０は上板３に貫設したエアーブリーザ付給油口、３１は油圧ポンプ５の吐出圧力を表示する圧力計、３２は油タンク１の一側面上部に配設した油面計、３３は油タンク１の一側面下部に配設した排油口、３４は油タンク１の内部に配置した油圧ポンプ５の吐出圧力を外部より調整自在にした吐出圧力調整部材で、油タンク１の一側面上部に外部に露出して設けている。
【００１４】
次に、かかる構成の作動を説明する。
外部制御装置より動力配線２１、制御配線２２に電流を流し、信号配線２３に電動機４を回転する信号および所望の１個の電磁切換弁１３を通電する信号を流すと、電動機４を回転する信号により電磁開閉器２４が閉じ、動力配線２１、動力配線コネクタ２１Ａ、電気配線２１Ｂに流れた電流が、閉じた電磁開閉器２４を介して電気配線４Ｂを流れて電動機４を通電し、電動機４は油圧ポンプ５を回転駆動する。
【００１５】
また、所望の１個の電磁切換弁１３を通電する信号により、制御配線２２、制御配線コネクタ２２Ａ、電気配線２２Ｃを流れた電流が、この１個の電磁切換弁１３の電気配線１３Ａを流れて電磁切換弁１３を通電し、電磁切換弁１３は作動油の流れ方向を制御するよう作動する。
【００１６】
そして、電動機４により回転駆動される油圧ポンプ５は吸入管６より油タンク１の貯蔵作動油を吸入して吐出し、図示しない油圧アクチュエータに供給し、油圧アクチュエータからの作動油は戻り管１６を流れて油タンク１内部に還流する。このとき、油圧アクチュエータに供給する作動油および油圧アクチュエータから戻る作動油は、電磁切換弁１３で流れ方向を制御されると共に、他の各弁９〜１２で流量制御、減圧制御等の制御をされる。
【００１７】
そして、油圧アクチュエータに供給する作動油の圧力がこのアクチュエータに対応する圧力スイッチ１４の設定値に達すると、圧力スイッチ１４は閉じて制御配線２２、制御配線コネクタ２２Ａ、電気配線２２Ｂ、端子台部材２６、電気配線１４Ａを流れる電流を通電し、この通電した信号が入力・出力ユニット２９より信号配線２８、信号配線コネクタ２３Ａ、信号配線２３を流して外部制御装置に出力する。
【００１８】
この状態で、信号配線２３に通電している１個の電磁切換弁１３を非通電にする信号を流すと、制御配線２２、制御配線コネクタ２２Ａ、電気配線２２Ｃを流れた電流が、この１個の電磁切換弁１３の電気配線１３Ａに流れなくなり、電磁切換弁１３を非通電にする。電磁切換弁１３は原位置に復帰して作動状態と異なる流れ方向に作動油を制御する。
【００１９】
そして、信号配線２３に回転している電動機４を停止する信号を流すと、電動機４を停止する信号により電磁開閉器２４が開き、動力配線２１、動力配線コネクタ２１Ａ、電気配線２１Ｂに流れた電流が、電気配線４Ｂに流れず電動機４を非通電にし、電動機４は停止する。
【００２０】
かかる作動で、電動機４、電磁切換弁１３、圧力スイッチ１４を外部制御装置と電気接続する制御盤１９を備え、制御盤１９は外部制御装置から電動機４に電流を流す動力配線２１を着脱自在に取付ける動力配線コネクタ２１Ａと、外部制御装置から電磁切換弁１３、圧力スイッチ１４に電流を流す制御配線２２を着脱自在に取付ける制御配線コネクタ２２Ａと、外部制御装置から出力する電磁切換弁１３を通電非通電する信号を流したり、圧力スイッチ１４から出力する信号を外部制御装置に流したり、外部制御装置から出力する電動機４を回転停止する信号を流したりする信号配線２３を着脱自在に取付ける信号配線コネクタ２３Ａとを有しているため、電磁切換弁１３、圧力スイッチ１４の個数にかかわりなく制御盤１９と外部制御装置との間を電気接続する動力配線２１と制御配線２２と信号配線２３の本数は一定でよく、制御盤１９の動力配線コネクタ２１Ａと制御配線コネクタ２２Ａと信号配線コネクタ２３Ａに動力配線２１と制御配線２２と信号配線２３を装着することで外部制御装置と電気接続でき、配線作業を簡単に行うことができる。
【００２１】
また、油タンク１の上板３上に縦方向に載置する電動機４と電磁切換弁１３を設置するマニホールド８および電動機４の側方に配置する制御盤１９を集約することができ、大型化を抑制して装置をコンパクトにすることができる。
【００２２】
図６および図７は本発明の他実施形態を示し、一実施形態と同一個所については同符号を付して説明を省略し、異なる個所についてのみ説明する。
一側を開口した本体５９Ａと、本体５９Ａの開口を開閉自在に閉塞する蓋部材５９Ｂとで構成した制御盤５９は、電動機６０の側方に取付部材６１を介して図示しないボルトにより取付けられ、制御盤５９と取付部材６１との間および電動機６０と取付部材６１との間にはそれぞれパッキン６２Ａ、６２Ｂを挟持してシール機能を得ている。取付部材６１の内部には両端を制御盤５９内部と電動機６０内部とに開口して筒部材６３を設け、電動機６０の３本の電気配線６０Ｂは筒部材６３の内部を挿通して制御盤５９の内部に導かれ、電磁開閉器２４で図示しない外部制御装置からの３本の電気配線２１Ｂと電気接続する。油タンク１の側壁には縦方向へ等間隔に複数のフィン１Ａを形成し、貯蔵作動油の放熱効果の向上を図っている。
【００２３】
そして、一実施形態と同様に、電磁切換弁１３、圧力スイッチ１４の個数にかかわりなく制御盤５９と外部制御装置との間を電気接続する配線の本数は一定でよく、配線作業を簡単に行うことができる。また、油タンク１の上板３上に縦方向に載置する電動機６０と電磁切換弁１３を設置するマニホールド８および電動機６０の側方に配置する制御盤５９を集約することができ、大型化を抑制して装置をコンパクトにすることができる。
【００２４】
なお、前記各実施形態では、電動機４を油タンク１の上板３上に縦方向に配置し、油圧ポンプ５を電動機４と同軸に油タンク１の内部に配置したが、電動機と油圧ポンプを油タンクの上板上に水平方向に配置しても良いことは勿論である。
【図面の簡単な説明】
【００２５】
【図１】本発明の一実施形態を示した油圧装置の正面図である。
【図２】図１の背面図である。
【図３】図１の右側面である。
【図４】図１の平面図である。
【図５】一実施形態の要部であって、制御盤の蓋部材を開いて内部をあらわした図である。
【図６】本発明の他実施形態を示した図４に相当する平面図である。
【図７】図６の線Ａ−Ａに沿った断面図である。
【符号の説明】
【００２６】
１：油タンク
４、６０：電動機
５：油圧ポンプ
１３：電磁切換弁（油圧制御機器）
１４：圧力スイッチ（油圧制御機器）
１９、５９：制御盤
２１：動力配線
２１Ａ：動力配線コネクタ
２２：制御配線
２２Ａ：制御配線コネクタ
２３：信号配線
２３Ａ；信号配線コネクタ
【図１】
2006349130.tif 000003
【図２】
2006349130.tif 000004
【図３】
2006349130.tif 000005
【図４】
2006349130.tif 000006
【図５】
2006349130.tif 000007
【図６】
2006349130.tif 000008
【図７】
2006349130.tif 000009